(57)【要約】【課題】パケット交換システムによる通話を、回線交換システムによる通話に切り換えた際に、通話切り換えができないと判定されてから、パケット交換システムによる通話に復帰するまでの時間を短くする。【解決手段】無線通信端末の制御部１３は、送受信部１１を介して登録要求メッセージを呼制御サーバに送信して登録した後、パケット交換システムを介して通話している際に、当該通話をパケット交換システムから回線交換システムに切り換えて行うようにシステムの切換要求を検出すると、ユーザ登録の抹消を要求する登録抹消要求メッセージに登録抹消までのタイマ時間を含めて送信するように制御し、当該通話をパケット交換システムから回線交換システムに切り換えられない場合は、登録抹消までのタイマ時間が経過する前に、パケット交換システムの通話サービスを使用するように制御する。【選択図】図２
2008245137.tif 000002
【特許請求の範囲】
【請求項１】
無線通信端末からメッセージを受信する受信手段と、
前記受信手段を介して無線通信端末から該無線通信端末のユーザがシステムのサービスを使用できるように登録要求する登録要求メッセージを受信すると、該受信した登録要求メッセージに基づいて該無線通信端末のユーザがシステムのサービスを扱えるように登録する登録手段と、
前記登録手段に登録されているユーザの無線通信端末から前記登録の抹消を要求する登録抹消要求メッセージを受信すると、該受信した登録抹消要求メッセージに含まれている登録抹消までのタイマ時間に基づいて、前記ユーザ登録の抹消を保持し、前記タイマ時間経過後、前記登録抹消要求メッセージに対応する前記ユーザを前記登録から抹消する登録抹消手段と、
を備えるサーバ。
【請求項２】
前記登録抹消手段は、前記登録抹消までのタイマ時間に基づいて前記ユーザ登録の抹消を保持している間に、当該ユーザが前記システムのサービスを使用したことを検出すると、前記登録抹消要求メッセージに対応する前記ユーザ登録の抹消を中止することを特徴とする請求項１に記載のサーバ。
【請求項３】
第１無線通信システムおよび第２無線通信システムが利用可能な無線通信端末において、
無線通信端末のユーザが前記第１無線通信システムの通話サービスを使用できるように該第１無線通信システムに対して前記ユーザの登録要求をするための登録要求メッセージ、および前記ユーザ登録の抹消を要求するための登録抹消要求メッセージを送信する送信手段と、
前記送信手段を介して送信した登録要求メッセージに応じて第１無線通信システムに登録した後、該第１無線通信システムを介して通話している際に、当該通話を該第１無線通信システムから前記第２無線通信システムに切り換えて行うようにシステムの切換要求を検出すると、前記ユーザ登録の抹消を要求する登録抹消要求メッセージに登録抹消までのタイマ時間を含めて送信するように制御する制御手段と、
を備える無線通信端末。
【請求項４】
前記制御手段は、前記通話を該第１無線通信システムから前記第２無線通信システムに切り換えられない場合、前記登録抹消までのタイマ時間が経過する前に、前記第１無線通信システムの通話サービスを使用するように制御することを特徴とする請求項３に記載の無線通信端末。
【発明の詳細な説明】
【技術分野】
【０００１】
本発明は、呼制御を行うサーバと複数の通信システムを備えた無線通信端末に関する。
【背景技術】
【０００２】
近年、携帯電話等の無線通信端末には、それぞれの規格に応じた複数の方式が存在しており、例えば、日本の携帯電話方式では、ＴＤＭＡ方式、ＣＤＭＡ方式が普及している。
【０００３】
通常、無線通信端末は、何れか１つの規格に対応するように構成されているが、例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システムで通信を行うマルチバンド／マルチモード化も行われている。
【０００４】
このようなマルチバンド／マルチモードに対応する無線通信端末として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した無線通信端末が知られている（例えば、特許文献１参照）。
【０００５】
また、最近では、回線交換方式のｃｄｍａ２０００  １ｘシステムとパケット交換方式のｃｄｍａ２０００  １ｘＥＶ−ＤＯシステムの２つの通信システムを備えたマルチバンド／マルチモード対応の無線通信端末も考えられている。回線交換方式とパケット交換方式の２つの通信システムを備えた無線通信端末では、音声通話を回線交換方式の通信システム（以下、回線交換システムという）で行い、データ通信をパケット交換方式の通信システム（以下、パケット交換システムという）で行うなど、その目的に応じて有効なシステムの切り換えを行っている。この無線通信端末を使ってテレビ電話（ＩＰＶＴ：ＩＰ  Ｖｉｄｅｏ  Ｔｅｌｅｐｈｏｎｙ）を行う際、データ通信であるテレビ電話（ＩＰＶＴ）は、パケット交換システムを用いて実施されるが、パケット交換システムでは、ＩＰリンク未確立時の着信監視は行わないため、テレビ電話（ＩＰＶＴ）の着信には、回線交換システムを使ったＳＭＳ（Ｓｈｏｒｔ  Ｍｅｓｓａｇｅ  Ｓｅｒｖｉｃｅ）が利用されている。
【特許文献１】特開２００４−１５１６２号公報
【発明の開示】
【発明が解決しようとする課題】
【０００６】
上述した２つの通信システムを備えた無線通信端末では、パケット交換システムを利用した通話を、回線交換システムに切り換えて継続して当該通話を行う場合、着信側が、切り換え先対象の回線交換システムの圏外の場合、または回線交換システムの圏内ではあるがそのシステムが発信規制をしている場合、発信側（相手側）から回線交換システムを介して送信される（当該通話の切り換えに対応する）呼び出しを受信することができない。または呼び出しを受信しても応答できないため、回線交換システムを利用した通話を始めることができない。そのため、当該通話が継続せずに終了してしまうという問題がある。
【０００７】
また、発信側が、切り換え先対象の回線交換システムの圏外の場合、または回線交換システムの圏内ではあるがそのシステムが発信規制をしている場合、着信側（相手側）に対して回線交換システムを介して（当該通話の切り換えに対応する）呼び出しをすることができないため、回線交換システムを利用した通話を始めることができない。そのため、当該通話が継続せずに終了してしまうという問題がある。
【０００８】
本発明は、このような問題点に鑑みてなされたものであり、本発明の目的は、第１無線通信システム（例えばパケット交換システム）を利用した通話を、第２無線通信システム（例えば回線交換システム）を利用した通話に切り換え処理した場合に、発信側または着信側において第２無線通信システムが利用できなくても、当該通話を継続することができるとともに、通話を切り換えることができないと判定されてから、第１無線通信システムを利用した通話に再開（復帰）するまでの時間を短くすることができるサーバおよび無線通信端末を提供することにある。
【課題を解決するための手段】
【０００９】
上記目的を達成するため、本発明のサーバは、無線通信端末からメッセージを受信する受信手段と、前記受信手段を介して無線通信端末から該無線通信端末のユーザがシステムのサービスを使用できるように登録要求する登録要求メッセージを受信すると、該受信した登録要求メッセージに基づいて該無線通信端末のユーザがシステムのサービスを扱えるように登録する登録手段と、前記登録手段に登録されているユーザの無線通信端末から前記登録の抹消を要求する登録抹消要求メッセージを受信すると、該受信した登録抹消要求メッセージに含まれている登録抹消までのタイマ時間に基づいて、前記ユーザ登録の抹消を保持し、前記タイマ時間経過後、前記登録抹消要求メッセージに対応する前記ユーザを前記登録から抹消する登録抹消手段とを備えることを特徴とする。
【００１０】
前記登録抹消手段は、前記登録抹消までのタイマ時間に基づいて前記ユーザ登録の抹消を保持している間に、当該ユーザが前記システムのサービスを使用したことを検出すると、前記登録抹消要求メッセージに対応する前記ユーザ登録の抹消を中止することが好ましい。
【００１１】
また、本発明の無線通信端末は、第１無線通信システムおよび第２無線通信システムが利用可能な無線通信端末において、無線通信端末のユーザが前記第１無線通信システムの通話サービスを使用できるように該第１無線通信システムに対して前記ユーザの登録要求をするための登録要求メッセージ、および前記ユーザ登録の抹消を要求するための登録抹消要求メッセージを送信する送信手段と、前記送信手段を介して送信した登録要求メッセージに応じて第１無線通信システムに登録した後、該第１無線通信システムを介して通話している際に、当該通話を該第１無線通信システムから前記第２無線通信システムに切り換えて行うようにシステムの切換要求を検出すると、前記ユーザ登録の抹消を要求する登録抹消要求メッセージに登録抹消までのタイマ時間を含めて送信するように制御する制御手段とを備えることを特徴とする。
【００１２】
前記制御手段は、前記通話を該第１無線通信システムから前記第２無線通信システムに切り換えられない場合、前記登録抹消までのタイマ時間が経過する前に、前記第１無線通信システムの通話サービスを使用するように制御することが好ましい。
【発明の効果】
【００１３】
本発明は、第１無線通信システムを利用した通話を、第２無線通信システムを利用した通話に切り換え処理した後、発信側または着信側において第２無線通信システムが利用できない場合でも、当該通話を継続することができるとともに、通話を切り換えることができないと判定されてから、第１無線通信システムを利用した通話に再開（復帰）するまでの時間を短くすることができる。
【発明を実施するための最良の形態】
【００１４】
本発明の実施の形態について図面を参照して説明する。本発明では、上記課題の理由により切り換え処理を行ったが、パケット交換システム（第１無線通信システム）へ戻る場合を想定する。ＳＩＰなどを利用したシステムでは、サービスを使用するために、ユーザの登録処理を必要とする。このシステムから他のシステムへ切り換える際、システムリソースの観点から、ユーザ登録は抹消しなければならない。そのため、ＳＩＰなどのサービスを利用して通話をしていたパケット交換システムから回線交換システム（第２無線通信システム）へ切り換え処理を実行して、切り換えができずパケット交換システムへ戻る場合には、再度、パケット交換システムへ登録処理を行わなければならず、通話を再開するまでに時間がかかる。または、通話が維持できないこともあるという問題もある。本発明は、上記課題を解決することを目的とする。
【００１５】
図１は、本発明に係るパケット交換システム（ｃｄｍａ２０００  １ｘＥＶ−ＤＯシステム：第１無線通信システム）の基地局装置１と、それに接続されたパケット網２、そしてパケット網２を介し、パケット交換システムを利用した通話に係る呼制御サーバ（ＳＩＰサーバ）の概略構成を示す機能ブロック図である。基地局装置１は、無線通信のための送受信部（受信手段）４と無線制御部５を備えている。呼制御サーバ３は、登録部（登録手段）６と、登録抹消部（登録抹消手段）７と、タイマ８、そしてこれらを制御する制御部９を備えている。
【００１６】
登録部６は、基地局装置１およびパケット網２を介して無線通信端末から該無線通信端末のユーザがシステムのサービスを使用できるように登録要求する登録要求メッセージを受信すると、受信した登録要求メッセージに基づいて該無線通信端末のユーザがシステムのサービスを扱えるように登録する。登録抹消部７は、登録部６に登録されているユーザの無線通信端末から登録の抹消を要求する登録抹消要求メッセージを受信すると、受信した登録抹消要求メッセージに含まれている登録抹消までのタイマ時間に基づいて、ユーザ登録の抹消を保持し、タイマ時間経過後、登録抹消要求メッセージに対応するユーザを登録から抹消する。また、登録抹消部７は、登録抹消までのタイマ時間に基づいてユーザ登録の抹消を保持している間に、ユーザがシステムのサービスを使用したことを検出すると、登録抹消要求メッセージに対応するユーザ登録の抹消を中止する。
【００１７】
図２は、本発明の無線通信端末としての携帯電話端末の概略構成を示す機能ブロック図である。本発明の無線通信端末は、８００ＭＨｚ帯および２ＧＨｚ帯によるｃｄｍａ２０００  １ｘＥＶ−ＤＯシステム（パケット交換システム：第１無線通信システム）と、８００ＭＨｚ帯および２ＧＨｚ帯によるｃｄｍａ２０００  １ｘシステム（回線交換システム：第２無線通信システム）とを有するとともに、１．５ＧＨｚ帯のＧＰＳ周波数の受信機能を有するものである。図２に示す携帯電話端末は、送受信部（送信手段）１１と、受信部１２と、制御部（制御手段）１３と、表示部１４と、入力部１５と、マイク１６と、スピーカ１７を備えている。送受信部１１は、８００ＭＨｚ帯および２ＧＨｚ帯での送受信が可能となっており、受信部１２は、送受信部１１と独立して８００ＭＨｚ帯、２ＧＨｚ帯および１．５ＧＨｚ帯での受信が可能となっている。
【００１８】
送受信部１１からは、無線通信端末のユーザがパケット交換システムの通話サービスを使用できるようにパケット交換システムに対してユーザの登録要求をするための登録要求メッセージが送信され、また、送受信部１１からは、ユーザ登録の抹消を要求するための登録抹消要求メッセージが送信される。制御部１３は、送受信部１１を介して送信した登録要求メッセージに応じてパケット交換システムに登録した後、パケット交換システムを介して通話している際に、当該通話をパケット交換システムから回線交換システムに切り換えて行うようにシステムの切換要求を検出すると、ユーザ登録の抹消を要求する登録抹消要求メッセージに登録抹消までのタイマ時間を含めて送信するように制御し、当該通話をパケット交換システムから回線交換システムに切り換えられない場合は、登録抹消までのタイマ時間が経過する前に、パケット交換システムの通話サービスを使用するように制御する。
【００１９】
図３は、着信側の無線通信端末の動作を説明するフローチャートである。無線通信端末は、パケット交換システムを用いたテレビ電話（ＩＰＶＴ：ＩＰ  Ｖｉｄｅｏ  Ｔｅｌｅｐｈｏｎｙ）による通話中に、送受信部１１または受信部１２により、通話相手から、テレビ電話（ＩＰＶＴ）の通話断の通知を受信すると（ステップ１００）、通話断の通知が、パケット交換システムを用いたテレビ電話（ＩＰＶＴ）による通話から回線交換システムを用いた音声電話による通話へ切り換えるための通話断の通知ではなく、単なるテレビ電話（ＩＰＶＴ）による通話を切断するための通知であれば（ステップ１０１）、テレビ電話（ＩＰＶＴ）の通話呼の切断処理を開始し（ステップ１０２）、呼制御サーバ（ＳＩＰサーバ）に対してテレビ電話（ＩＰＶＴ）のユーザ登録情報の抹消（開放）処理を行い（ステップ１０３）、パケット交換システムの終了処理を行う（ステップ１０４）。
【００２０】
ステップ１０１において、通話断の通知が、テレビ電話（ＩＰＶＴ）による通話から音声電話による通話へ切り換えるための通話断の通知であれば、テレビ電話（ＩＰＶＴ）の通話呼の切断処理を開始し（ステップ１０５）、呼制御サーバ（ＳＩＰサーバ）に対してテレビ電話（ＩＰＶＴ）のユーザ登録情報の有効時間（登録抹消までのタイマ時間）の変更処理を行う（ステップ１０６）。次に、パケット交換システムの回線切断処理を行い（ステップ１０７）、音声電話とテレビ電話（ＩＰＶＴ）の着信待ち受け状態に移行する（ステップ１０８）。音声電話の着信があるか否かを判定し（ステップ１０９）、音声電話の着信があれば音声電話による通話に移行する（ステップ１１０）。音声電話による通話へ移行する場合、システム変更に伴って、通話は維持されるが、テレビ電話のアプリケーションから音声電話のアプリケーションに変更される。音声電話の着信がなければ、テレビ電話（ＩＰＶＴ）の着信があるか否かを判定し（ステップ１１１）、テレビ電話（ＩＰＶＴ）の着信があればテレビ電話（ＩＰＶＴ）による通話に復帰する（ステップ１１２）。テレビ電話（ＩＰＶＴ）の着信がなければ、ステップ１０８に戻り、音声電話とテレビ電話（ＩＰＶＴ）の着信待ち受けを行う。
【００２１】
図４は、着信側の無線通信端末がｃｄｍａ２０００  １ｘシステム（回線交換システム）の圏外にあるときの無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。無線通信端末は、テレビ電話（ＩＰＶＴ）による通話中に、通話相手（ＩＰＶＴ電話サーバ）からの音声電話による通話への切換通知（ＩＮＦＯ）と、ＩＰＶＴ電話の通話呼切断通知（ＢＹＥ）を検出すると、テレビ電話（ＩＰＶＴ）のユーザ登録情報の有効時間（登録抹消までのタイマ時間：Ｒｅｇｉｓｔｅｒ  Ｔｉｍｅｒ）をＴｃｌｏｓｅに変更して登録抹消要求メッセージ（ＲＥＧＩＳＴＥＲ  Ｔｃｌｏｓｅ）をＩＰＶＴ電話サーバ（ＳＩＰサーバ）へ送信する。次に、パケット交換システムによる無線呼を切断して（Ｃｏｎｎｅｃｔｉｏｎ  Ｃｌｏｓｅ）、Ｄｏｒｍａｎｔ状態に移行する。ここで、通話相手（発信側）から音声電話の呼び出しがあっても、回線交換システムの圏外であるため、受信できない。したがって、着信応答ができない。また、回線交換システムの圏内であっても、発信規制中は着信応答ができない。通話相手（発信側）は、着信側の無線通信端末から音声電話の着信応答がないと、テレビ電話（ＩＰＶＴ）の発信処理を開始する。着信側の無線通信端末は、パケット交換システムから呼び出し（Ｐａｇｅ）を受けると、パケット交換システムに対して接続（Ｃｏｎｎｅｃｔｉｏｎ  Ｒｅｑｕｅｓｔ）して、パケット交換システムの無線呼を、Ｄｏｒｍａｎｔ状態からＡｃｔｉｖｅ状態へ遷移させ、ＩＰＶＴ電話サーバ（ＳＩＰサーバ）からＩＮＶＩＴＥを待ち受ける状態にする。通話相手（発信側）からＩＮＶＩＴＥを受けると、応答してテレビ電話（ＩＰＶＴ）による通話に復帰する。ＩＰＶＴ電話サーバ（ＳＩＰサーバ）は、テレビ電話（ＩＰＶＴ）の通話に復帰すると、タイマ８を停止してユーザ登録情報の抹消を中止する。
【００２２】
図５は、着信側の無線通信端末がｃｄｍａ２０００  １ｘシステム（回線交換システム）の圏内にあるときの無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。パケット交換システムによる無線呼を切断して（Ｃｏｎｎｅｃｔｉｏｎ  Ｃｌｏｓｅ）、Ｄｏｒｍａｎｔ状態に移行するまでは、着信側の無線通信端末が回線交換システムの圏外にあるときと同様である。パケット交換システムがＤｏｒｍａｎｔ状態において、通話相手（発信側）から音声電話の呼び出しがあれば、着信側の無線通信端末は、回線交換システムの圏内にあるため呼び出しを受信できるので、応答して音声電話による通話に移行する。音声電話による通話へ移行する場合、システム変更に伴って、通話は維持されるが、テレビ電話のアプリケーションから音声電話のアプリケーションに変更される。そして、パケット交換システムは、規定のＤｏｒｍａｎｔタイマ時間が経過して待ち受けに移行し、ＩＰＶＴ電話サーバ（ＳＩＰサーバ）は、タイマ時間の経過によりユーザ登録情報を抹消する。
【００２３】
図６は、発信側の無線通信端末の動作を説明するフローチャートである。無線通信端末は、パケット交換システムを用いたテレビ電話（ＩＰＶＴ）による通話中に、利用者からのテレビ電話（ＩＰＶＴ）の通話断の指示を受けると（ステップ２００）、ステップ２０１において、通話断の指示が、単なるテレビ電話（ＩＰＶＴ）による通話を切断するための通知と判断されれば、テレビ電話（ＩＰＶＴ）の通話呼の切断処理を開始し、送受信部１１から、呼制御サーバ（ＳＩＰサーバ）に、テレビ電話（ＩＰＶＴ）の通話断の指示を通知し（ステップ２０２）、呼制御サーバ（ＳＩＰサーバ）に対してテレビ電話（ＩＰＶＴ）のユーザ登録情報の抹消（開放）処理を行い（ステップ２０３）、パケット交換システムの終了処理を行う（ステップ２０４）。
【００２４】
ステップ２０１において、通話断の指示が、テレビ電話（ＩＰＶＴ）による通話から音声電話による通話への切り換えるための通話断の指示と判断されれば、音声電話による通話への切り換えのためのテレビ電話（ＩＰＶＴ）の通話呼の切断処理を開始し、送受信部１１から、呼制御サーバ（ＳＩＰサーバ）に、テレビ電話から音声電話への切り換えの通知と、テレビ電話（ＩＰＶＴ）の通話断の指示を通知し（ステップ２０５）、呼制御サーバ（ＳＩＰサーバ）に対してテレビ電話（ＩＰＶＴ）のユーザ登録情報の有効時間（登録抹消までのタイマ時間）の変更処理を行い（ステップ２０６）、パケット交換システムの回線切断処理を行って待ち受け状態となる（ステップ２０７）。次に、音声電話の発信処理を開始して（ステップ２０８）、通話相手からの音声電話の着信応答待ち状態となる（ステップ２０９）。ステップ２０９において、音声電話の着信応答があるか否かを判定し、通話相手から音声電話の着信応答があれば音声電話による通話に移行する（ステップ２１０）。音声電話による通話へ移行する場合、システム変更に伴って、通話は維持されるが、テレビ電話のアプリケーションから音声電話のアプリケーションに変更される。音声電話の着信応答がない場合は、音声電話の発信失敗となり、音声電話の発信処理を終了する（ステップ２１１）。次に、通話を復帰させるためにテレビ電話（ＩＰＶＴ）の発信処理を開始し（ステップ２１２）、通話相手からのテレビ電話（ＩＰＶＴ）の着信応答待ち状態となる（ステップ２１３）。ステップ２１３において、テレビ電話（ＩＰＶＴ）の着信応答があるか否かを判定し、通話相手からテレビ電話（ＩＰＶＴ）の着信応答があればテレビ電話（ＩＰＶＴ）の通話に復帰する（ステップ２１５）。テレビ電話（ＩＰＶＴ）の着信応答がない場合は、テレビ電話（ＩＰＶＴ）への復帰失敗となり、テレビ電話（ＩＰＶＴ）の終了処理を行う（ステップ２１４）。
【００２５】
図７は、発信側の無線通信端末がｃｄｍａ２０００  １ｘシステム（回線交換システム）の圏外にあるときの無線通信端末とｃｄｍａ２０００  １ｘシステム（回線交換システム）とｃｄｍａ２０００  １ｘＥＶ−ＤＯシステム（パケット交換システム）とＩＰＶＴ電話サーバ（ＳＩＰサーバ）との間の動作を説明するシーケンス図である。無線通信端末は、テレビ電話（ＩＰＶＴ）による通話中に、通話相手（ＩＰＶＴ電話サーバ）に音声電話による通話への切換通知（ＩＮＦＯ）と、ＩＰＶＴ電話の通話呼切断通知（ＢＹＥ）を行い、続けてテレビ電話（ＩＰＶＴ）のユーザ登録情報の有効時間（登録抹消までのタイマ時間：Ｒｅｇｉｓｔｅｒ  Ｔｉｍｅｒ）をＴｃｌｏｓｅに変更して登録抹消要求メッセージ（ＲＥＧＩＳＴＥＲ  Ｔｃｌｏｓｅ）をＩＰＶＴ電話サーバ（ＳＩＰサーバ）へ送信する。次に、パケット交換システムによる無線呼を切断して（Ｃｏｎｎｅｃｔｉｏｎ  Ｃｌｏｓｅ）、Ｄｏｒｍａｎｔ状態に移行する。ここで、音声電話の発信処理を開始するが、回線交換システムの圏外であるため、発信できない。また、回線交換システムの圏内であっても、発信規制中は発信ができない。したがって、テレビ電話（ＩＰＶＴ）への復帰処理を開始する。すわわち、発信側の無線通信端末は、パケット交換システムに対して接続（Ｃｏｎｎｅｃｔｉｏｎ  Ｒｅｑｕｅｓｔ）して、パケット交換システムの無線呼を、Ｄｏｒｍａｎｔ状態からＡｃｔｉｖｅ状態へ遷移させ、ＩＰＶＴ電話サーバ（ＳＩＰサーバ）にＩＮＶＩＴＥを送信する。そして、通話相手から着信応答があれば、テレビ電話（ＩＰＶＴ）による通話に復帰する。ＩＰＶＴ電話サーバ（ＳＩＰサーバ）は、テレビ電話（ＩＰＶＴ）の通話に復帰すると、タイマ８を停止してユーザ登録情報の抹消を中止する。
【００２６】
発信側の無線通信端末が回線交換システムの圏内にある場合は、音声電話による発信ができるので、通話相手（着信側）から音声電話の着信応答があれば、音声電話の通話に移行する。そして、パケット交換システムは、規定のＤｏｒｍａｎｔタイマ時間が経過して待ち受けに移行し、ＩＰＶＴ電話サーバ（ＳＩＰサーバ）は、タイマ時間の経過によりユーザ登録情報を抹消（開放）する。
【００２７】
図８は、無線通信端末の表示部の画面遷移を示す図である。（ａ）はテレビ電話（ＩＰＶＴ）で通話しているときの表示部１４の画面を示している。ここでユーザによる音声通話への切り換え指示、または通話相手から音声通話への切り換え通知を受信すると、（ｂ）に示すように、画面に「Ｃｈａｎｇｉｎｇ．．．ＴＶ電→音声」の文字が表示される。切り換えに成功したならば、（ｃ）に示すように、画面に「通話中」の文字を表示して音声通話が開始される。（ｂ）の状態において、自端末が回線交換システムの圏外にある場合、あるいは回線交換システムの圏内であるが回線交換システムが発信規制を行っている場合等により音声通話への切り換えに失敗した場合は、（ｄ）に示すように、画面に「Ｃｈａｎｇｉｎｇ．．．→ＴＶ電」および「現在の電波環境では音声電話はご利用頂けませんでした。ＴＶ電話に復帰します。」の文字を表示し、（ａ）の画面に戻って、テレビ電話（ＩＰＶＴ）に復帰する。（ｂ）の状態において、相手端末が回線交換システムの圏外にある場合、あるいは回線交換システムの圏内であるが回線交換システムが発信規制を行っている場合等により音声通話への切り換えに失敗した場合は、（ｅ）に示すように、画面に「Ｃｈａｎｇｉｎｇ．．．→ＴＶ電」および「ご相手の電波環境が悪いようです。音声電話はご利用頂けませんでした。ＴＶ電話に復帰します。」の文字を表示し、（ａ）の画面に戻って、テレビ電話（ＩＰＶＴ）に復帰する。
【００２８】
なお、上述した実施の形態では、パケット交換システムを用いたテレビ電話（ＩＰＶＴ）による通話から回線交換システムを用いた音声電話による通話への切換通知にＩＮＦＯメッセージを用いたが、図９に示すように、テレビ電話（ＩＰＶＴ）の切断通知であるＢＹＥメッセージの中に切換識別子を追加して、ＢＹＥメッセージで切換通知を行っても良い。
【００２９】
本発明では、パケット交換システムを利用した通話から回線交換システムを利用した通話への切り換えを行う際に、呼制御サーバ（ＳＩＰサーバ）のユーザ登録情報の有効時間（登録抹消までのタイマ時間）の変更処理を行うことによって、通話切り換えの間、呼制御サーバ（ＳＩＰサーバ）が、ユーザ登録情報を保持している。そのため、通話切り換えができずパケット交換システムへ戻る場合に、再度、パケット交換システムへ登録処理を行う必要がないので、パケット交換システムを利用した通話に短時間に復帰して通話を継続することができる。また、回線交換システムを利用した通話への切り換えに成功した場合は、タイマ時間の経過によりユーザ登録情報が抹消（開放）されるため、呼制御サーバ（ＳＩＰサーバ）の管理資源の有効利用を図ることができる。
【図面の簡単な説明】
【００３０】
【図１】本発明に係るパケット交換システムの基地局装置と、それに接続されたパケット網、そしてパケット網を介し、パケット交換システムを利用した通話に係る呼制御サーバ（ＳＩＰサーバ）の概略構成を示す機能ブロック図である。
【図２】本発明に係る無線通信端末の概略構成を示す機能ブロック図である。
【図３】着信側の無線通信端末の動作を説明するフローチャートである。
【図４】着信側の無線通信端末がｃｄｍａ２０００  １ｘシステムの圏外にあるときの無線通信端末とｃｄｍａ２０００  １ｘシステムとｃｄｍａ２０００  １ｘＥＶ−ＤＯシステムとＩＰＶＴ電話サーバ（ＳＩＰサーバ）の動作を説明するシーケンス図である。
【図５】着信側の無線通信端末がｃｄｍａ２０００  １ｘシステムの圏内にあるときの無線通信端末とｃｄｍａ２０００  １ｘシステムとｃｄｍａ２０００  １ｘＥＶ−ＤＯシステムとＩＰＶＴ電話サーバ（ＳＩＰサーバ）の動作を説明するシーケンス図である。
【図６】発信側の無線通信端末の動作を説明するフローチャートである。
【図７】発信側の無線通信端末がｃｄｍａ２０００  １ｘシステムの圏外にあるときの無線通信端末とｃｄｍａ２０００  １ｘシステムとｃｄｍａ２０００  １ｘＥＶ−ＤＯシステムとＩＰＶＴ電話サーバ（ＳＩＰサーバ）の動作を説明するシーケンス図である。
【図８】無線通信端末の表示部の画面遷移を示す図である。
【図９】ＢＹＥメッセージで切換通知ができることを説明する図である。
【符号の説明】
【００３１】
１  基地局装置
２  パケット網
３  呼制御サーバ
４，１１  送受信部
５  無線制御部
６  登録部
７  登録抹消部
８  タイマ
９，１３  制御部
１２  受信部
１４  表示部
１５  入力部
１６  マイク
１７  スピーカ
【図１】
2008245137.tif 000003
【図２】
2008245137.tif 000004
【図３】
2008245137.tif 000005
【図４】
2008245137.tif 000006
【図５】
2008245137.tif 000007
【図６】
2008245137.tif 000008
【図７】
2008245137.tif 000009
【図８】
2008245137.tif 000010
【図９】
2008245137.tif 000011